(57)【要約】【課題】光記録媒体のタイプ及び記録速度に適した書込みパルスを発し得る書込みパルスの発生装置を提供する。 【解決手段】光記録媒体のタイプ及び記録速度に関する情報を提供する制御部と、制御部から提供される光記録媒体のタイプ及び記録速度に関する情報に基づきマルチパルスのタイプを決定し、そのタイプを有する書込みパルスが発光素子から発せられるように信号を発する制御信号発生部を備えてなる書込みパルスの発生装置、及び光記録媒体のタイプ及び記録速度に応じて光記録媒体の記録マーク及び／または書込みスペースの全区間または一部の区間別に書込みパルスのレベルを設定し、書込みパルスが設定されたレベルを有するように制御する制御部と、制御部により制御されて書込みパルスのレベルを記録マーク及び書込みスペースの区間別に変化させるための制御信号発生部を備えてなる書込みパルスの発生装置。 【選択図】図１
2006134576.tif 000002
【特許請求の範囲】
【請求項１】
光記録媒体に適した書込みパルスの発生装置であって、書込みパルスに該当する光を前記光記録媒体に発する発光素子と、前記書込みパルスが光記録媒体のタイプ及び記録速度に応じて決定されたタイプで発せられるように前記発光素子を駆動させる駆動部と、前記光記録媒体から反射される光を受光する受光部と、前記発光素子において必要なパワーを自動的に制御するために、前記受光部の出力信号及び所定の基準電圧を用いてチャンネル別にパワーを制御するための信号を前記駆動部に提供するパワー制御信号提供部と、前記光記録媒体のタイプ及び記録速度に応じて前記光記録媒体上に形成される記録マーク及び／または書込みスペースの全区間または一部の区間において前記書込みパルスのレベルが可変的に調節されるように、前記駆動部に入力されるチャンネル別のパワー制御信号の伝送有無を制御する信号を発して前記駆動部に送る制御信号発生部と、前記光記録媒体のタイプ及び記録速度に応じて前記制御信号発生部における制御信号の発生有無及び発生制御信号のパルスタイプを制御する制御部とを備えた書込みパルスの発生装置において、
前記制御信号発生部は、前記制御部から提供される光記録媒体のタイプ及び記録速度に応じて書込みパルスの発生条件を設定する書込みパルス発生条件設定部と、前記制御部から提供される光記録媒体のタイプ及び記録速度に応じてマルチパルス区間のパルスタイプを決定するマルチパルス決定部と、前記書込みパルス発生条件設定部及び前記マルチパルス決定部から各々出力される信号及び現在の記録マークに関する第１情報及び前記現在の記録マークの前後スペースに関する第２情報に基づき前記書込みパルスを構成するのに必要なパルスを独立的に発するパルス生成器群と、前記制御部により制御されて前記パルス生成器群において発するパルスのうち必要なパルスを選択して前記制御信号を構成して発する制御信号発生回路とを備え、
前記パルス生成器群は、前記第１情報、前記第２情報及び前記書込みパルス発生条件設定部から出力される信号に基づき開始点及び終了点が決定されたＲｅａｄ＿ＬＤ ＯＮパルスを発する第１パルス発生器と、前記第１情報、第２情報及び前記書込みパルス発生条件設定部から出力される信号に基づき開始点及び終了点が決定されたボトム（バイアス３）パルスを発する第２パルス発生器と、前記第１情報、第２情報及び前記書込みパルス発生条件設定部から出力される信号に基づき開始点及び終了点が決定されたクーリング（バイアス２）パルスを発する第３パルス発生器と、前記第１情報、第２情報及び前記書込みパルス発生条件設定部から出力される信号に基づき開始点及び終了点が決定されたイレーズ（バイアス１）パルスを発する第４パルス発生器と、前記第１情報、第２情報及び前記マルチパルス決定部から出力される信号に基づき開始点及び終了点が決定されたマルチパルス列及びノンマルチパルスタイプのうちどちらか一方を発する第５パルス発生器と、前記第１情報、第２情報及び前記書込みパルス発生条件設定部から出力される信号に基づき開始点及び終了点が決定されたラストパルスを発する第６パルス発生器と、前記第１情報、第２情報及び前記書込みパルス発生条件設定部から出力される信号に基づき開始点及び終了点が決定されたファーストパルスを発する第７パルス発生器とを備える書込みパルスの発生装置。 
【請求項２】
前記制御信号発生回路は、前記記録マーク及び／または書込みスペースの全区間または一部の区間別に前記書込みパルスのレベルが該当区間における基準レベルより増減されるように前記書込みパルスのレベルを変化させるために、前記第１ないし第７パルス発生器から発せられるパルスに対する伝送有無を前記制御部から提供される制御信号により独立的に決定し、前記決定によって得られた少なくとも一つの制御信号を発して前記駆動部に送るマトリックス回路であることを特徴とする請求項１に記載の書込みパルスの発生装置。 
【請求項３】
前記制御部から提供される制御信号は、前記光記録媒体のタイプ及び記録速度が変わる都度アップデートされるピークレジスタ、イレーズレジスタ、クーリングレジスタ、ボトムレジスタ、読込みレジスタ、補助レジスタに貯蔵されているビット情報よりなり、前記制御部は、前記レジスタ単位にビット情報を貯蔵したレジスタファイルを含むことを特徴とし、前記マトリックス回路は、前記制御部から提供される制御信号により前記記録マークの全区間または一部の区間の書込みパルスのレベルが所定チャンネルを介して送られるパワー制御信号の量だけ増減されるように前記パルス発生器群から発せられるパルスを組み合わせた複数の制御信号を発して前記駆動部に送ることを特徴とする請求項２に記載の書込みパルスの発生装置。 
【請求項４】
前記マトリックス回路から出力可能な制御信号は、ピーク制御信号、イレーズ（バイアス１）制御信号、クーリング（バイアス２）制御信号、ボトム（バイアス３）制御信号、リード制御信号及び補助制御信号を含むことを特徴とする請求項２に記載の書込みパルスの発生装置。 
【発明の詳細な説明】
【技術分野】
【０００１】
本発明は各種の光記録媒体に適した書込みパルスの発生装置及び方法に係り、特に、各種の記録速度でも各種の光記録媒体に対する互換性が維持可能に書込みパルスを発する装置及び方法に関する。  
【背景技術】
【０００２】
現在提案されている光記録媒体は、大きくＣＤ用とＤＶＤ（ＤｉｇｉｔａｌＶｅｒｓａｔｉｌｅ Ｄｉｓｃ）用とに分けられる。ＣＤ用の光記録媒体であるＣＤ−Ｒ、ＣＤ−ＲＷ用の光機器は一般化されて汎用されている。ＤＶＤ用の光記録媒体であるＤＶＤ−ＲＷ、ＤＶＤ−Ｒ、ＤＶＤ＋ＲＷ、ＤＶＤ−ＲＡＭ用の光機器も現在市販されている。しかしながら、光記録媒体別に記録特性が相異なるため、光記録媒体別の書込みパルスのタイプは相異なる。また、各々の光記録媒体別の記録速度に応じて記録特性が相異なるため、光記録媒体の記録速度によっても書込みパルスのタイプが変わる。 
【０００３】
例えば、ＤＶＤ−ＲＡＭやＣＤ−ＲＷの書込みパルスは、マルチパルス列がチャンネルクロック内においてハイで始まるため、ＤＶＤ−ＲＡＭやＣＤ−ＲＷの書込みパルスはオンスタートマルチパルスのタイプと定義できる。ＤＶＤ±ＲＷ及びＤＶＤ−Ｒの書込みパルスは、マルチパルス列がチャンネルクロック内においてローで始まるため、ＤＶＤ±ＲＷ及びＤＶＤ−Ｒの書込みパルスはオフスタートマルチパルスタイプと定義できる。ＣＤ−Ｒの書込みパルスはマルチパルスを用いず、ＮＲＺＩ（Ｎｏｎ−Ｒｅｔｕｒｎ ｔｏ Ｚｅｒｏ Ｉｎｖｅｒｔ）に類似しているため、ノンマルチパルスのタイプと定義できる。 
【０００４】
このように、各種の光記録媒体を単一の光機器に収容するために、既存には、光記録媒体のタイプ別に適した書込みパルスを発する装置が提案されている。前記書込みパルスの発生装置は、光記録媒体のタイプ別に書込みパルスを構成するファーストパルス、マルチパルス列、ラストパルス、クーリングパルス、またはボトムパルスの開始位置及び終了位置を記録マークの開始点及び終了点を基準として計数する。その後、計数値を用いてバイアス３制御信号（ｂｉａｓ ３ ｃｏｎｔｒｏｌ ｓｉｇｎａｌまたはｂｏｔｔｏｍ ｃｏｎｔｒｏｌ ｓｉｇｎａｌとも呼ぶ。）、イレーズ制御信号（ｅｒａｓｅ ｃｏｎｔｒｏｌ ｓｉｇｎａｌまたはｂｉａｓ １ ｃｏｎｔｒｏｌ ｓｉｇｎａｌとも呼ぶ。）、ピーク制御信号及びクーリング制御信号（ｃｏｏｌｉｎｇ ｃｏｎｔｒｏｌ ｓｉｇｎａｌまたはｂｉａｓ ２ ｃｏｎｔｒｏｌ ｓｉｇｎａｌとも呼ぶ。）を発してレーザダイオード（Ｌａｓｅｒ Ｄｉｏｄｅ、以下、ＬＤと称する。）駆動部を制御してＬＤから所望の書込みパルスが発せられるようにした。 
【０００５】
また、高密度及び高速光記録媒体に適した書込みパルスを提供するために、マルチパルス列のパルス幅を変化させる書込みパルスの発生装置が提案されている。しかしながら、前記書込みパルスの発生装置は、ＬＤ駆動部に入力される記録電流チャンネルが固定されている。すなわち、読込み電流伝送チャンネル、ピーク電流伝送チャンネル、イレーズ電流伝送チャンネル、クーリング電流伝送チャンネル、ボトム電流伝送チャンネルにＬＤ駆動部に入力される電流伝送チャンネルが固定されている。また、ＬＤ駆動部を制御するための信号がバイアス制御信号、イレーズ制御信号、ピーク制御信号、及びクーリング制御信号に固定されている。そして、既存の書込みパルスの発生装置は、主として書込みパルスの幅を変化させる方式を用いている。 
【０００６】
しかしながら、高速ディスクが開発されるに伴い、一つの記録マーク（または、ドメイン）に対する書込みパルスの幅が次第に狭まりつつある。また、ユーザが一つの光駆動器であらゆる種類の光記録媒体にデータを記録及び再生することを希望するに伴い、光記録媒体別に要求される書込みパルスのタイプが一層多様になりつつある。従って、既存に提案された書込みパルスの発生装置のように、電流伝送チャンネル及び前記チャンネルを選択するために用いられる制御信号の数が固定された状態で書込みパルスの幅を変化させる方式では、各種の書込みパルスのタイプを提供するための要求を満足できない。
【発明の開示】
【発明が解決しようとする課題】
【０００７】
そこで、本発明は、光記録媒体のタイプ及び記録速度に適した書込みパルスを発し得る書込みパルスの発生装置及び方法を提供するところにその目的がある。本発明の他の目的は、光記録媒体のタイプ及び記録速度に応じてノンマルチパルスタイプの書込みパルス及びマルチパルスタイプの書込みパルスのうちどうちらか一方のタイプで発せられる書込みパルスの発生装置及び方法を提供するところにある。 
【０００８】
本発明のさらに他の目的は、光記録媒体のタイプ及び記録速度に応じて複数のノンマルチパルスタイプの書込みパルス及びマルチパルスタイプの書込みパルスのうちどちらか一方のタイプで発せられる書込みパルスの発生装置及び方法を提供するところにある。本発明のさらに他の目的は、光記録媒体のタイプ及び記録速度に応じて記録マーク及び／または書込みスペースの全区間または一部の区間の書込みパルスのレベルを変化させて発する書込みパルスの発生装置及び方法を提供するところにある。 
【０００９】
本発明のさらに他の目的は、別途のハードウェア的なチャンネル経路を付加することなくレーザダイオードの自動パワー制御用として用いられる電流（または、電圧）を強めて光記録媒体のタイプ及び速度に応じて書込みパルスのレベルを変化させて発せられる書込みパルスの発生装置及び方法を提供するところにある。 
【課題を解決するための手段】
【００１０】
前記目的を達成するために、本発明による書込みパルスの発生装置は、発光素子を用いて光記録媒体の書込みパルスを発する装置であって、前記光記録媒体のタイプ及び記録速度に関する情報に基づき前記書込みパルスのマルチパルス区間のパルスタイプをノンマルチパルスタイプ及びマルチパルスタイプのうちどちらか一方に決定し、決定されたパルスタイプを有する書込みパルスが前記発光素子から発せられるように構成されることが好ましい。 
【００１１】
前記目的を達成するために、本発明による書込みパルスの発生装置は、所望の書込みパルスが発せられるように発光素子駆動部を介して発光素子を制御して光記録媒体に適した書込みパルスを発する装置であって、光記録媒体のタイプ及び記録速度に関する情報を提供する制御部と、前記制御部から提供される前記光記録媒体のタイプ及び記録速度に関する情報に基づきマルチパルス区間で発せられるマルチパルスタイプを決定し、決定されたマルチパルスタイプを有する書込みパルスが前記発光素子から発せられるように前記発光素子駆動部を制御する信号を発する制御信号発生部とを備えることが好ましい。 
【００１２】
前記制御信号発生部は、前記マルチパルス区間で発せられるマルチパルスタイプをノンマルチパルスタイプ及びマルチパルス列の形のうちどちらか一方に選択して決めることが好ましい。前記制御信号発生部は、前記マルチパルス区間で発せられるマルチパルスタイプを複数のノンマルチパルスタイプ及び複数のマルチパルス列の形のうちどちらか一方に選択して決定することが好ましい。 
【００１３】
前記目的を達成するために、本発明による装置は、発光素子駆動部を制御して光記録媒体に適した書込みパルスを発する装置であって、光記録媒体のタイプ及び記録速度に応じて前記光記録媒体の記録マーク及び／または書込みスペースの全区間または一部の区間別に書込みパルスのレベルを設定する制御部と、前記制御部により制御されて前記光記録媒体に発せられる書込みパルスのレベルを記録マーク及び／または書込みスペースの区間別に変化させるための制御信号を前記発光素子駆動部に発する制御信号発生部とを備えることが好ましい。 
【００１４】
前記制御部は、前記書込みパルスのレベルが前記一部の区間別に設定されている基準レベルより増減されるように前記書込みパルスのレベルを設定することが好ましい。前記目的を達成するために、本発明による装置は、光記録媒体に適した書込みパルスの発生装置であって、書込みパルスに該当する光を前記光記録媒体に発する発光素子と、前記書込みパルスが光記録媒体のタイプ及び記録速度に応じて決定されたタイプで発せられるように前記発光素子を駆動させる駆動部と、前記光記録媒体から反射される光を受光する受光部と、前記発光素子において必要なパワーを自動的に制御するために、前記受光部の出力信号及び所定の基準電圧を用いてチャンネル別にパワーを制御するための信号を前記駆動部に提供するパワー制御信号提供部と、前記光記録媒体のタイプ及び記録速度に応じて前記光記録媒体上に形成される記録マーク及び／または書込みスペースの全区間または一部の区間において前記書込みパルスのレベルが可変的に調節されるように、前記駆動部に入力されるチャンネル別のパワー制御信号の伝送有無を制御する信号を発して前記駆動部に送る制御信号発生部と、前記光記録媒体のタイプ及び記録速度に応じて前記制御信号発生部における制御信号の発生有無及び発生制御信号のパルスタイプを制御する制御部とを備えることが好ましい。 
【００１５】
前記制御信号発生部は、前記制御部から提供される光記録媒体のタイプ及び記録速度に応じて書込みパルスの発生条件を設定する書込みパルス発生条件設定部と、前記制御部から提供される光記録媒体のタイプ及び記録速度に応じてマルチパルス区間のパルスタイプを決定するマルチパルス決定部と、前記書込みパルス発生条件設定部及び前記マルチパルス決定部から各々出力される信号及び現在の記録マークに関する第１情報及び前記現在の記録マークの前後スペースに関する第２情報に基づき前記書込みパルスを構成するのに必要なパルスを独立的に発するパルス生成器群と、前記制御部により制御されて前記パルス生成器群において発せられるパルスのうち必要なパルスを選択して前記制御信号を構成して発する制御信号発生回路とを備えることが好ましい。 
【００１６】
前記制御信号発生回路は、前記記録マーク及び／または書込みスペースの全区間または一部の区間別に前記書込みパルスのレベルが該当区間における基準レベルより増減されるように前記書込みパルスのレベルを変化させるために、前記第１ないし第７パルス発生器から発せられるパルスに対する伝送有無を前記制御部から提供される制御信号により独立的に決定し、前記決定によって得られた少なくとも一つの制御信号を発して前記駆動部に送るマトリックス回路であることが好ましい。 
【００１７】
前記制御部から提供される制御信号は、前記光記録媒体のタイプ及び記録速度が変わる都度アップデートされるピークレジスタ、イレーズレジスタ、クーリングレジスタ、ボトムレジスタ、読込みレジスタ、補助レジスタに貯蔵されているビット情報よりなり、前記制御部は、前記レジスタ単位にビット情報を貯蔵したレジスタファイルを含むことが好ましく、前記マトリックス回路は、前記制御部から提供される制御信号により前記記録マークの全区間または一部の区間の書込みパルスのレベルが所定チャンネルを介して送られるパワー制御信号の量だけ増減されるように前記パルス発生器群から発せられるパルスを組み合わせた複数の制御信号を発して前記駆動部に送ることが好ましい。 
【００１８】
前記パワー制御信号提供部は、少なくとも一つのチャンネルに電圧を分割し得る手段を接続させ、前記手段から出力されるパワー制御信号が前記駆動部の補助パワー制御信号として提供されて前記発光素子の自動パワー制御用として用いられるパワー制御信号の数を増やすことが好ましい。前記目的を達成するために、本発明による記録パルスの発生方法は、発光素子を用いて前記光記録媒体に適した書込みパルスを発する方法であって、光記録媒体のタイプ及び記録速度に応じて前記発光素子から発せられる書込みパルスのマルチパルス区間のパルスタイプをノンマルチパルスタイプ及びマルチパルスタイプのうちどちらか一方に決定する段階と、前記決定されたタイプを有する書込みパルスが前記発光素子から発せられるように前記書込みパルスの発生を制御する段階とを含むことが好ましい。
【００１９】
前記目的を達成するために、本発明による方法は、発光素子を用いて前記光記録媒体に適した書込みパルスを発する方法であって、光記録媒体のタイプ及び記録速度に応じて前記発光素子から発せられる書込みパルスに含まれるマルチパルス区間のパルスタイプを決定する段階と、前記決定されたパルスタイプを有する書込みパルスが前記発光素子から発せられるように前記発光素子を駆動させるために複数のチャンネル別に提供されるパワー制御信号の伝送有無を制御する信号を発する段階と、前記制御信号に基づき選択されたチャンネルを介して送られるパワー制御信号で前記発光素子を駆動させる段階とを含むことが好ましい。 
【００２０】
前記制御信号発生段階は、前記決定された書込みパルスのレベルによって前記書込みパルスを形成するのに必要なパルスの組み合わせ条件を決定し、決定された組み合わせ条件によって発せられるパルスを組み合わせて得られた少なくとも一つの信号を前記制御信号として発することが好ましい。前記制御信号発生段階は、リードレーザオンＲｅａｄ＿ＬＤ ＯＮパルス、ボトム（バイアス３）パルス、クーリング（バイアス２）パルス、イレーズ（バイアス１）パルス、複数のマルチパルス及び複数のノンマルチパルス、ラストパルス及びファーストパルスのうち前記必要なパルスが選択されるように前記組み合わせ条件を決定し、ピーク制御信号、イレーズ（バイアス１）制御信号、クーリング（バイアス２）制御信号、ボトム（バイアス３）制御信号、リード制御信号、補助制御信号のうち少なくとも一つを前記制御信号として発することが好ましい。 
【００２１】
前記書込みパルスレベルを決定する段階は、前記書込みパルス内の各区間別の基準レベルに基づく前記書込みパルスのレベルの増減または増減量に鑑みて前記書込みパルスのレベルを決定することが好ましい。前記書込みパルスの発生方法は、前記光記録媒体のタイプ及び記録速度に応じて前記書込みパルスに含まれるマルチパルス区間のパルスタイプを決定する段階をさらに含むことが好ましい。 
【００２２】
前記マルチパルスタイプを決定する段階は、前記光記録媒体のタイプ及び記録速度に応じて前記マルチパルス区間のパルスタイプがマルチパルスタイプであるか否かを判断する段階と、前記マルチパルス区間のパルスタイプがノンマルチパルスタイプではなければ、前記パルスタイプがオンスタートマルチパルスタイプであるか否かを判断する段階と、前記マルチパルス区間のパルスタイプがノンマルチパルスタイプでもオンスタートマルチパルスタイプでもなければ、オフスタートマルチパルスタイプとして決定する段階とを含むことが好ましい。 
【発明を実施するための最良の形態】
【００２３】
以下、添付した図面に基づき、本発明による実施の形態について詳細に説明する。図１は、本発明の好ましい実施の形態による各種の光記録媒体に適した書込みパルスの発生装置のブロック図である。図１を参照すれば、本発明による書込みパルスの発生装置は、制御部１０１、ＮＲＺＩ検出部１１０、制御信号発生部１１５、電流提供部１２０、フォトダイオード１４０、ＬＤ駆動部１５０、ＬＤ１６０及び光記録媒体１７０を備えてなる。
【００２４】
制御部１０１は、光記録媒体１７０のタイプ及び記録速度に応じて記録マーク及び書込みスペースに対する書込みパルスが最適のレベルをもって発生可能に制御信号発生部１１５及び電流提供部１２０を制御する。制御部１０１は、該当光駆動器内のエンデック（ＥＮＤＥＣ、図示せず）から送られてくる記録ゲート信号が活性化状態である時に動作する。制御部１０１は、主制御部（図示せず）から提供される光記録媒体１７０のタイプ及び記録速度に関する情報に基づきレジスタファイル１０５の値を設定する。 
【００２５】
レジスタファイル１０５には、制御信号発生部１１５における制御信号の発生有無及び発生制御信号のパルスタイプを制御するためのデータが貯蔵される。すなわち、レジスタファイル１０５には、現在の記録マーク及び／または書込みスペースの全区間または一部の区間の書込みパルスのレベルを決定し、決定されたレベルを有する書込みパルスを発するためのデータが貯蔵される。 
【００２６】
このために、制御部１０１は、入力される光記録媒体のタイプ及び記録速度に関する情報に基づき記録マーク及び／または書込みスペースの各区間別の基準レベルに基づき現在発生を希望する書込みパルスの各区間別のレベルを増減または維持するかを決定し、各区間別に決定された書込みパルスのレベルが発生可能にレジスタファイル１０５に貯蔵されるデータを設定する。光記録媒体のタイプ別に記録マーク（または、ドメイン）を形成するための書込みパルスを構成するファーストパルス、マルチパルス列、ラストパルス、クーリングパルス別の基準レベルが設定される。 
【００２７】
制御部１０１は、光記録媒体タイプ別の前記基準レベルを予め備える。従って、制御部１０１は、主制御部から光記録媒体のタイプ及び記録速度に関する情報が入力されれば、前記基準レベルに基づき各パルス区間別に発生を希望する書込みパルスのレベルを増減または維持するかが決定可能になる。このとき、制御部１０１は、書き換え可能な光記録媒体において書込みスペース領域の記録マーク（または、ドメイン）の消去及び上書きのための重要レベルで消去パルスに対するレベルも設定する。 
【００２８】
これにより、レジスタファイル１０５に貯蔵されるデータは、光記録媒体１７０のタイプ及び記録速度が変わる都度、主制御部から送られてくる情報に基づきアップデートされる。レジスタファイル１０５は、下記表１のように構成される。 
【表１】
2006134576.tif 000003
【００２９】
表１から明らかなように、制御部１０１に備えられるレジスタファイル１０５は、ピークスイッチ（ピークＳＷ）に対する８ビットデータを貯蔵するためのレジスタ、イレーズスイッチ（イレーズＳＷ）に対する８ビットデータを貯蔵するためのレジスタ、クーリングスイッチ（クーリングＳＷまたはバイアス２ ＳＷとも言う。）に対する８ビットデータを貯蔵するためのレジスタ、ボトムスイッチ（ボトムＳＷまたはバイアス３ ＳＷとも呼ぶ。）に対する８ビットデータを貯蔵するためのレジスタ、リードスイッチ（リードＳＷ）に対する８ビットデータを貯蔵するためのレジスタ及び補助スイッチ（補助ＳＷ）に対する８ビットデータを貯蔵するためのレジスタを備える。 
【００３０】
従って、前記ピークスイッチはピークレジスタと、前記イレーズスイッチはイレーズレジスタと、クーリングスイッチはクーリングレジスタと、前記ボトムスイッチはボトムレジスタと、リードスイッチはリードレジスタと、そして補助スイッチは補助レジスタと定義できる。前記ピークスイッチは、制御信号発生部１１５において発せられるピーク制御信号の発生有無及びパルスタイプを制御するための信号である。前記イレーズスイッチは、制御信号発生部１１５において発せられるイレーズ制御信号の発生有無及びパルスタイプを制御するための信号である。前記クーリングスイッチは、制御信号発生部１１５において発せられるクーリング制御信号の発生有無及びパルスタイプを制御するための信号である。前記ボトムスイッチは、制御信号発生部１１５において発せられるボトム制御信号の発生有無及びパルスタイプを制御するための信号である。前記リードスイッチは、制御信号発生部１１５において発せられるリード制御信号の発生有無及びパルスタイプを制御するための信号である。そして前記補助スイッチは、制御信号発生部１１５において発せられる補助制御信号の発生有無及びパルスタイプを制御するための信号である。 
【００３１】
前記レジスタファイル１０５の各レジスタに貯蔵されているビットは、前述のように、制御信号発生部１１５における制御信号の発生有無及び発生制御信号のパルスタイプを制御するためのデータである。表１の定義に基づくとき、各レジスタの最上位ビットであるビット７は、チャンネルイネーブルの有無を制御するためのデータである。各レジスタのビット６は、リードレーザダイオードオンＲｅａｄ＿ＬＤ ＯＮ信号の伝送有無を制御するためのデータである。各レジスタのビット５は、ファーストパルスの伝送有無を制御するためのデータである、各レジスタのビット４は、ラストパルスの伝送有無を制御するためのデータである。各レジスタのビット３は、マルチパルスの伝送有無を制御するためのデータである。各レジスタのビット２は、イレーズパルスの伝送有無を制御するためのデータである。各レジスタのビット１は、クーリングパルスの伝送有無を制御するためのデータである。各レジスタのビット０は、ボトムパルスの伝送有無を制御するためのデータである。前記ビットイネーブルの有無は、該当制御信号の発生有無を制御することを意味する。 
【００３２】
例えば、ピークスイッチの前記ビット７、ビット５、ビット４、ビット３が活性化状態に設定されれば、制御信号発生部１１５はピーク制御信号を発し、該ピーク制御信号は、ファーストパルス、ラストパルス及びマルチパルスよりなる。前記活性化状態（ビット７）が‘０’である場合には、制御信号発生部１１５のピーク制御信号をディスエーブルさせて用いない。 
【００３３】
主制御部は、入力されるＮＲＺＩに同期されて光記録媒体のリードイン領域に貯蔵されている情報や現在用いられる光記録媒体のタイプを把握し得るもの以外の情報を用い、現在用いられる光記録媒体１７０のタイプ及び光駆動器の記録速度を分析する。分析された結果に基づき制御部１０１が現在用いられる光記録媒体１７０のタイプ及び記録速度が認識可能に、主制御部（図示せず）は、制御部１０１に情報を提供する。主制御部（図示せず）は、光記録媒体のタイプ及び倍速の分析を、公知の方式のうちいずれか一つを用いて行う。 
【００３４】
ＮＲＺＩ検出部１１０は、ＮＲＺＩが入力されれば、現在光記録媒体１７０上に形成される記録マークに関する情報と、前記記録マーク及び前スペースサイズの組み合わせに関する情報及び記録マーク及び後スペースサイズの組み合わせに関する情報を検出して制御信号発生部１１５に送る。制御信号発生部１１５は、制御部１０１から提供されるレジスタファイル１０５に貯蔵されたデータと、現在用いられる光記録媒体のタイプ及び記録速度に関する情報及び前記現在形成される記録マーク及び前／後スペースに関する情報に基づきファーストパルスの立上がりエッジ及びラストパルスの立下りエッジを変化させつつＬＤ駆動部１５０のチャンネルをイネーブルさせるための制御信号を発する。
【００３５】
発生可能な制御信号は、６つの制御信号のうち少なくとも一つの制御信号になり得る。前記６つの制御信号は、ピーク制御信号、イレーズ制御信号、クーリング制御信号、ボトム制御信号、リード制御信号、補助制御信号である。前記イレーズ制御信号は、用いられる光記録媒体によってバイアス１制御信号とも呼ぶ。前記クーリング制御信号は、用いられる光記録媒体によってバイアス２制御信号とも呼ぶ。前記ボトム制御信号は、用いられる光記録媒体によってバイアス３制御信号とも呼ぶ。 
【００３６】
制御信号発生部１１５は、図２に示されたように構成される。図２を参照すれば、制御信号発生部１１５は、書込みパルス発生条件設定部２００、マルチパルス決定部２０５、パルス発生器群２１０及びマトリックス回路２２０を備えてなる。書込みパルス発生条件設定部２００は、制御部１０１から提供される、現在用いられる光記録媒体のタイプ及び倍速に関する情報に基づき発せられる書込みパルスを構成するのに必要なパルスの種類及びパルスの立上がりエッジと立下りエッジとに関する条件を設定する。設定された書込みパルス発生条件に関する情報は、パルス発生器群２１０に提供される。 
【００３７】
マルチパルス決定部２０５は、制御部１０１から提供される、現在用いられる光記録媒体のタイプ及び倍速に関する情報に基づきマルチパルス区間をノンマルチパルスタイプで発するか、それともマルチパルスタイプで発するかを決定する。そして、ノンマルチパルスタイプで発すると決定した場合、発生ノンマルチパルスタイプの立上がりエッジ（または、開始点）及び立下りエッジ（終了点）を４種に区分し、いかなる種類で発するかを決定する。 
【００３８】
前記４種のノンマルチパルスタイプは、図３の（ｊ）、（ｋ）、（ｌ）及び（ｍ）に示されたように区分できる。すなわち、ＬＤ １６０から出力される書込みパルスの波形が図３の（ｂ）の通りであるとき、図３の（ｊ）に示されたように、マルチパルスの開始点が前記ファーストパルスの開始点Ｔｓｆｐと一致し、マルチパルスの終了点が前記ラストパルスの終了点Ｔｅｌｐと一致する第１ノンマルチパルス、図３の（ｋ）に示されたように、マルチパルスの開始点が前記ファーストパルスの終了点と一致し、マルチパルスの終了点が前記ラストパルスの開始点と一致する第２ノンマルチパルス、図３の（ｌ）に示されたように、マルチパルスの開始点が前記ファーストパルスの開始点Ｔｓｆｐと一致し、マルチパルスの終了点が前記ラストパルスの開始点Ｔｓｌｐと一致する第３ノンマルチパルス、及び図３の（ｍ）に示されたように、ノンマルチパルスの開始点が前記ファーストパルスの終了点Ｔｅｆｐと一致し、前記ノンマルチパルスの終了点が前記ラストパルスの終了点Ｔｅｌｐと一致する第４ノンマルチパルスに区分できる。マルチパルス決定部２０５は、前記４つのノンマルチパルスタイプのうちいずれか一つを決定する。 
【００３９】
また、マルチパルス決定部２０５において、チャンネルクロック内においてハイで始まるオンスタートマルチパルスが発せられるように、あるいは、チャンネルクロック内においてローで始まるオフスタートマルチパルスが発せられるように決定できる。マルチパルス決定部２０５において決定された情報は、パルス発生器群２１０に提供される。 
【００４０】
パルス発生器群２１０は、書込みパルス発生条件設定部２００から提供される書込みパルス発生条件に関する情報と、マルチパルス決定部２０５から提供されるマルチパルス発生条件に関する情報及びＮＲＺＩ検出部１１０から提供される、現在形成される記録マークに関する情報及び前後スペースに関する情報に基づき書込みパルスを構成するのに必要なパルスを独立して発する。 
【００４１】
このために、パルス発生器群２１０は、リードレーザダイオードオンＲｅａｄ＿ＬＤ ＯＮパルス発生器２１１、ボトムパルス発生器２１２、クーリングパルス発生器２１３、イレーズパルス発生器２１４、マルチパルス発生器２１５、ラストパルス発生器２１６、ファーストパルス発生器２１７を備えてなる。各パルス発生器２１１ないし２１４、２１６、２１７は、書込みパルス発生条件設定部２００から提供される条件情報及びＮＲＺＩ検出部１１０から提供される情報に基づき該当パルスの開始点（開始位置）及び終了点（終了位置）を決定してパルスを発する。 
【００４２】
すなわち、図３に示されたように、入力されるＮＲＺＩ信号が図３の（ａ）の通りであり、ＬＤ １６０において発せられる書込みパルスが図３の（ｂ）の通りであるとき、Ｒｅａｄ−ＬＤ ＯＮパルス発生器２１１は、ハイ（１）の状態を保ち続けるパルスを発する。ボトムパルス発生器２１２は、図３の（ｈ）の如きパルスを発する。クーリングパルス発生器２１３は、図３の（ｉ）の如きパルスを発する。イレーズパルス発生器２１４は、図３の（ｇ）の如きパルスを発する。 
【００４３】
マルチパルス発生器２１５は、マルチパルス決定部２０５から送られてくる決定結果に基づき、図３の（ｅ）の如きマルチパルス列及び図３の（ｊ）ないし（ｍ）の如きノンマルチパルスのうちどちらか一方を発する。マルチパルス幅ＭＰは、図３の（ｅ）に示されたように、ＭＰ＝０．５Ｔｗ、ＭＰ＜０．５Ｔｗ及びＭＰ＞０．５Ｔｗの３種の状態が全て選択されても良く、３種の状態のうちいずれか一つの状態が選択されても良く、３種の状態のうち２つの状態が同時に選択されても良い。 
【００４４】
ラストパルス発生器２１６は、書込みパルス発生条件設定部２００から提供される発生条件によって図３の（ｄ）の如きパルスを発する。ファーストパルス発生器２１７もまた、書込みパルス発生条件設定部２００から提供される発生条件によって図３の（ｃ）の如きパルスを発する。このとき、ラストパルスの幅及びファーストパルスの幅は、光記録媒体のタイプ及び記録速度に応じて書込みパルス発生条件設定部２００において可変的に設定できる。 
【００４５】
図３の（ｆ）に示されたように、ピークパルスは、ファーストパルス発生器２１７、ラストパルス発生器２１６及びマルチパルス発生器２１５から発せられるパルスの組み合わせで形成され、後述するマトリックス回路２２０から出力されるピーク制御信号がこのように形成可能である。マトリックス回路２２０は、制御部１０１から提供されるピークスイッチレジスタ、イレーズスイッチレジスタ、クーリングスイッチレジスタ、ボトムスイッチレジスタ、リードスイッチレジスタ、補助スイッチレジスタによりパルス発生器群２１０から発せられるパルスの伝送有無を独立して決定し、これにより、組み合わせパルスよりなる制御信号をＬＤ駆動部１５０に送る。マトリックス回路２０８から出力可能な制御信号は、ピーク制御信号、イレーズ制御信号、クーリング制御信号、ボトム制御信号、リード制御信号及び補助制御信号である。 
【００４６】
マトリックス回路２０８は、図４の如く構成できる。前記マトリックス回路２０８は、６×７のマトリックス構造であって、論理積素子Ａ１〜Ａ４２を接続し、制御部１０１から送られてくる各スイッチ制御信号単位の論理積素子Ａ１〜Ａ７、Ａ８〜Ａ１４、Ａ１５〜Ａ２１、Ａ２２〜Ａ２８、Ａ２９〜Ａ３５、Ａ３６〜Ａ４２の出力を論理和する論理和計素子ＯＲ１〜ＯＲ６、該当スイッチ制御信号の最上位ビット（ビット７）及び該当論理和素子の出力は、負論理積する負論理積素子ＮＡ１〜ＮＡ６よりなる。 
【００４７】
従って、Ｒｅａｄ＿ＬＤ ＯＮパルス発生器２１１から発せられるパルスは、制御部１０１内に備えられている該当レジスタ１０５のビット６のデータが入力される論理積素子Ａ７、Ａ１４、Ａ２１、Ａ２８、Ａ３５、Ａ４２に入力される。このため、制御部１０１の該当レジスタ１０５のビット６が‘０’であれば、Ｒｅａｄ＿ＬＤ ＯＮパルス発生器２１１から発せられるパルスは、該当論理和素子ＯＲ１〜ＯＲ６に送られる。 
【００４８】
ボトムパルス発生器２１２から発せられるパルスは、制御部１０１内に備えられている該当レジスタ１０５のビット０のデータが入力される論理積素子Ａ６、Ａ１３、Ａ２０、Ａ２７、Ａ３４、Ａ４１に入力される。従って、制御部１０１の該当レジスタ１０５のビット０が‘０’であれば、ボトムパルス発生器２１１から発せられるパルスは、該当論理和素子ＯＲ１〜ＯＲ６に送られる。 
【００４９】
クーリングパルス発生器２１３から発せられるパルスは、制御部１０１内に備えられている該当レジスタ１０５のビット１のデータが入力される論理積素子Ａ５、Ａ１１、Ａ１９、Ａ２６、Ａ３３、Ａ４０に入力される。従って、制御部１０１の該当レジスタ１０５のビット１が‘０’であれば、クーリングパルス発生器２１３から発せられるパルスは、該当論理和素子ＯＲ１〜ＯＲ６に送られる。 
【００５０】
イレーズパルス発生器２１４から発せられるパルスは、制御部１０１内に備えられている該当レジスタ１０５のビット２データが入力される論理積素子Ａ４、Ａ１１、Ａ１８、Ａ２５、Ａ３２、Ａ３９に入力される。従って、制御部１０１の該当レジスタ１０５のビット２が‘１’であれば、イレーズパルス発生器２１４から発せられるパルスは、該当論理和素子ＯＲ１〜ＯＲ６に送られる。 
【００５１】
マルチパルス発生器２１５から発せられるマルチパルスまたはノンマルチパルスは、制御部１０１内に備えられている該当レジスタ１０５のビット３のデータが入力される論理積素子Ａ３、Ａ１０、Ａ１７、Ａ２４、Ａ３１、Ａ３８に入力される。従って、制御部１０１の該当レジスタ１０５のビット３が‘１’であれば、マルチパルス発生器２１５から発せられるパルスは、該当論理和素子ＯＲ１〜ＯＲ６に送られる。 
【００５２】
ラストパルス発生器２１６から発せられるパルスは、制御部１０１内に備えられている該当レジスタ１０５のビット４のデータが入力される論理積素子Ａ２、Ａ９、Ａ１６、Ａ２３、Ａ３０、Ａ３７に入力される。従って、制御部１０１の該当レジスタ１０５のビット４が‘１’であれば、ラストパルス発生器２１６から発せられるパルスは、該当論理和素子ＯＲ１〜ＯＲ６に送られる。 
【００５３】
ファーストパルス発生器２１７から発せられるパルスは、制御部１０１内に備えられている該当レジスタ１０５のビット５のデータが入力される論理積素子Ａ１、Ａ８、Ａ１５、Ａ２２、Ａ２９、Ａ３６に入力される。従って、制御部１０１の該当レジスタ１０５のビット５が‘１’であれば、ファーストパルス発生器２１７から発せられるパルスは、該当論理和素子ＯＲ１〜ＯＲ６に送られる。 
【００５４】
一方、制御部１０１から１行の論理積素子Ａ１〜Ａ７に入力される信号は、ピークスイッチ用のレジスタに貯蔵されているビットデータであり、２行の論理積素子Ａ８〜Ａ１４に入力される信号は、イレーズスイッチ用のレジスタに貯蔵されているビットデータであり、３行の論理積素子Ａ１５〜Ａ２１に入力される信号は、クーリングスイッチ用のレジスタに貯蔵されているビットデータであり、４行の論理積素子Ａ２２〜Ａ２８に入力される信号は、ボトムスイッチ用のレジスタに貯蔵されているビットデータであり、５行の論理積素子Ａ２９〜Ａ３５に入力される信号は、リードスイッチ用のレジスタに貯蔵されているビットデータであり、６行の論理積素子Ａ３６〜Ａ４２に入力される信号は、補助スイッチ用のレジスタに貯蔵されているビットデータである。 
【００５５】
負論理積素子ＮＡ１は、ピークスイッチ用のレジスタの最上位ビット（ビット７）及び論理和素子ＯＲ１の出力を負論理積し、その結果をピーク制御信号として出力する。負論理積素子ＮＡ２は、イレーズスイッチ用のレジスタの最上位ビット（ビット７）及び論理和素子ＯＲ２の出力を負論理積し、その結果をイレーズ制御信号として出力する。負論理積素子ＮＡ３は、クーリングスイッチ用のレジスタの最上位ビット（ビット７）及び論理和素子ＯＲ３の出力を負論理積し、その結果をクーリング制御信号として出力する。負論理積素子ＮＡ４は、ボトムスイッチ用のレジスタの最上位ビット（ビット７）及び論理和素子ＯＲ４の出力を負論理和し、その結果をボトム制御信号として出力する。負論理積素子ＮＡ５は、リードスイッチ用のレジスタの最上位ビット（ビット７）及び論理和素子ＯＲ５の出力を負論理積し、その結果をリード制御信号として出力する。負論理積素子ＮＡ６は、補助スイッチ用のレジスタの最上位ビット（ビット７）及び論理和素子ＯＲ６の出力を負論理積し、その結果を補助制御信号として出力する。 
【００５６】
前記マトリックス回路２０８に用いられた論理回路は、制御部１０１から提供されるビットデータの条件によって変更されるか、あるいは同じ役割をする他の論理ゲートまたはアナログスイッチにより構成される。マトリックスのサイズも構成しようとするシステムに適するように調節できる。電流提供部１２０は、可変利得増幅器（Ｖａｒｉａｂｌｅ Ｇａｉｎ Ａｍｐｌｉｆｉｅｒ、以下、ＶＧＡと称する。）１２１、第１ないし第５サンプル＆ホールド（Ｓ／Ｈ）１２２＿１〜１２２＿５、第１ないし第５伝送手段１２３〜１２７、第１ないし第５デジタル−アナログ変換器（以下、ＤＡＣと称する。）１２８〜１３２を備えてなる。かかる電流提供部１２０は、既存の光駆動器において自動パワー制御（ＡＰＣ）ブロックと同じ役割を果たす。従って、電流提供部１２０は、ＬＤ駆動部１５０に電圧を提供する電圧提供部よりなっても良い。 
【００５７】
ＶＧＡ １２１は、フォトダイオード１４０において発せられた電流信号を所定の利得で増幅して電圧信号に変換する。第１ないし第５サンプル＆ホールド１２２＿１〜１２２＿５は、各々ＶＧＡ１２１の出力信号のうち制御信号により指定された区間の信号のみをサンプリング且つホールドし、サンプルされた信号を該当伝送手段１２３〜１２７に送る。前記制御信号は、制御部１０１から提供される。例えば、第１サンプル＆ホールド１２２＿１は、制御信号によりリード区間中にＶＧＡ １２１から出力される信号をサンプリング且つホールドして第１伝送手段１２３に送る。第２サンプル＆ホールド１２２＿２は、制御信号によりピークレベル（ファーストレベル＋マルチレベル＋ラストレベル）区間中にＶＧＡ １２１から出力される信号をサンプリング且つホールドして第２伝送手段１２４に送る。第３サンプル＆ホールド１２２＿３は、制御信号によりイレーズレベル区間中にＶＧＡ １２１から出力される信号をサンプリング且つホールドして第３伝送手段１２５に送る。第４サンプル＆ホールド１２２＿４は、制御信号によりクーリングレベル区間中にＶＧＡ １２１から出力される信号をサンプリング且つホールドして第４伝送手段１２６に送る。第５サンプル＆ホールド１２２＿５は、制御信号によりＶＧＡ １２１から出力される信号のうちボトムレベル区間の信号のみをサンプリング且つホールドして第５伝送手段１２７に送る。 
【００５８】
第１ないし第５伝送手段１２３〜１２７各々のイネーブル状態は、制御部１０１から送られてくる制御信号により制御される。第１ないし第５伝送手段１２３〜１２７は、第１ないし第５サンプル＆ホールド１２２＿１〜１２２＿５から出力される信号によりＬＤ １５０の出力パワーを制御するための各チャンネル別電流のデジタルデータを出力する。
【００５９】
また、第１ないし第５伝送手段１２３〜１２７は、構成しようとするシステムに適するように調節でき、一つのサンプリング＆ホールド及び一つの伝送手段に必要なチャンネル数だけ順次に用いるように具現できる。第１ないし第５伝送手段１２３〜１２７は、アップ／ダウンカウンタ（図示せず）、マルチプレクサ（図示せず）及びフィルタリング手段（図示せず）よりなっても良い。もし、第１ないし第５伝送手段１２３〜１２７が前述のように構成され、該当サンプル＆ホールドから出力された信号と基準信号とを比較し、サンプル＆ホールドされた信号が大きいならば、アップ／ダウンカウンタはダウンカウントを行い、その結果値は出力パワーを制御するための各チャンネル別の電流のデジタルデータとして出力される。出力された信号は、ＤＡＣ １２８〜１３２に送られる。もし、前記サンプル＆ホールドされた信号が前記基準信号より小さいならば、アップ／ダウンカウンタは、アップカウントを行い、その結果値は出力パワーを制御するための各チャンネル別の電流のデジタルデータとして出力される。出力された信号は、ＤＡＣ１２８〜１３２に送られる。マルチプレクサ（図示せず）は、制御部１０１により制御されてダウンカウントされた結果及びＶＧＡ １２１において増幅された電圧のうちどちらか一方を選択してＡＤＣ（図示せず）においてデジタル信号に変換された後、フィルタリング手段（図示せず）に送られる。フィルタリング手段（図示せず）は、前記マルチプレクサ（図示せず）から出力される信号が所望の値を有するようにフィルタリングして出力する。 
【００６０】
第１ないし第５ ＤＡＣ１２８〜１３２は、第１ないし第５伝送手段１２３〜１２７から送られてくる値をアナログ信号電流値を有する信号に変換してＬＤ駆動部１５０に送る。第１ ＤＡＣ１２８から出力される信号はリード電流である。第２ ＤＡＣ１２９から出力される信号は、ピーク電流である。第３ ＤＡＣ１３０から出力される信号は、イレーズ電流である。第４ ＤＡＣ１３１から出力される信号は、クーリング電流である。第５ ＤＡＣ１３２から出力される信号は、ボトム電流である。もし、電流提供部１２０が電圧提供部により具現された場合、第１ないし第５ ＤＡＣ１２８〜１３２から出力される信号は電圧値を有する。 
【００６１】
また、電流提供部１２０は、イレーズ電流が送られてくるチャンネルに抵抗Ｒ１、Ｒ２を接続してイレーズ電流が出力されるチャンネルの電圧を分割させる。そして、抵抗Ｒ１、Ｒ２間の接点ＡをＬＤ駆動部１５０に接続して補助電流をＬＤ駆動部１５０に入力させる。これにより、別途の演算手段やＤＡＣをさらに備えなくてもＬＤの自動パワー制御用の電流数が１だけインクリメントされる。前述したように、電圧分割手段を所望のチャンネルとＬＤ駆動部１５０との間に接続させて、ＬＤの自動パワー制御用の電流数をインクリメントできる。例えば、リード電流が出力されるチャンネルに前記電圧分割手段を接続させても良い。フォトダイオード１４０は、光記録媒体１７０から反射される光を受光する手段である。 
【００６２】
ＬＤ駆動部１５０は、制御信号発生部１１５から印加される制御信号に基づき電流提供部１２０から提供される電流のうち該当電流を選択し、選択された電流を加算した後に増幅してＬＤ １６０に提供する。これにより、ＬＤ １６０は、所望のレベルを有する書込みパルスに対応する光を発して光記録媒体１７０に送る。 
【００６３】
このように、現在用いられる光記録媒体のタイプ及び記録速度に応じて記録マークの全区間または一部の区間別に書込みパルスのレベルを増減または維持するように調節できる。また、マルチパルス及びイレーズ区間（書込みスペース区間）に対する全区間または一部の区間別に書込みパルスのレベルを増減または維持するように調節できる。
【００６４】
図５は、本発明により各光記録媒体別に書込みパルスが変形されたレベル例の一部を示している。これは、発生可能な書込みパルスの組み合わせの総数はマトリックス回路２２０のサイズによって決定されるからである。これは、マトリックス回路２２０のサイズは発生を希望する書込みパルスの組み合わせ数によって決定されることを意味する。従って、マトリックス回路２２０は、発生を希望する書込みパルスの組み合わせの数によって変わる。 
【００６５】
図５の（ａ）に示されたように、ＮＲＺＩが入力される場合、ＬＤ １６０から発せられるＤＶＤ−ＲＡＭの基本的な書込みパルスは、図５の（ｂ）に示された通りである。しかし、本願発明によって、ＤＶＤ−ＲＡＭの書込みパルスは図５の（ｃ）のようにピークパルス、マルチパルス、ラストパルス区間を一定レベルだけ高められる。すなわち、ピークパルス区間及びラストパルス区間の書込みパルスのレベルは高められ、マルチパルス列の書込みパルスのレベルは低められる。 
【００６６】
また、ＤＶＤ−Ｒの基本的な書込みパルスは、図５の（ｄ）の通りである。かかるＤＶＤ−Ｒの書込みパルスを本発明によって図５の（ｅ）のようにピークパルス区間の書込みパルスのレベルは高めてラストパルス区間の書込みパルスのレベルは低め、マルチパルス列区間の書込みパルスは維持させるように変形する。あるいは、図５の（ｆ）のように、ピークパルス区間及びラストパルス区間は高め、マルチパルス区間はノンマルチパルスタイプで発しつつ一定レベルだけ低めるように書込みパルスを変形させても良い。さらに、図５の（ｇ）のように、マルチパルス区間はノンマルチパルスタイプで発せられるように制御しつつラストパルス区間のみ一定レベルだけ高めるように書込みパルスを変形させても良い。 
【００６７】
ＤＶＤ−ＲＷの基本的な書込みパルスは、図５の（ｈ）の通りである。かかる書込みパルスを本発明によって、図５の（ｉ）のようにファーストパルスとラストパルス区間及びクーリングパルス区間を各々一定レベルだけ高めるように変形させても良い。ＤＶＤ＋ＲＷの基本的な書込みパルスが図５の（ｊ）の通りであるとき、本発明によって図５の（ｋ）のようにファーストパルス区間及びラストパルス区間は一定レベルだけ低め、クーリングパルス区間は一定レベルだけ高めるように変形させても良い。 
【００６８】
ＣＤ−ＲＷの基本的な書込みパルスが図５の（ｌ）の通りであるとき、本発明によって図５の（ｍ）のようにファーストパルス区間は一定レベルだけ高め、ラストパルス区間は一定レベルだけ低め、クーリングパルス区間は一定レベルだけ高めるように変形させても良い。ＣＤ−Ｒの基本的な書込みパルスが図５の（ｎ）の通りであるとき、本発明によって図５の（ｏ）のようにファーストパルス区間の書込みパルスのレベルは低めてラストパルス区間の書込みパルスレベルは高めるように変形させても良く、図５の（ｐ）のようにラストパルス区間の書込みパルスのレベルを低めて他の区間の書込みパルスのレベルは一定に維持されるように変形させても良い。 
【００６９】
また、図５の（ｑ）のように、その他の変形例も可能になる。図５の（ｑ）の変形は、ファーストパルス区間及びラストパルス区間の書込みパルスのレベルだけ低めてマルチパルス区間はノンマルチパルスタイプで書込みパルスを発したり、ノンマルチパルスタイプを有するマルチパルス区間の書込みパルスのレベルのみ高めるように書込みパルスを発したりして得られる。 
【００７０】
図５は、増減量が大体一定に変わる例を示している。しかし、制御信号発生部１１５において発せられる制御信号のパルスタイプ及び制御信号の数及びＬＤ駆動部１５０に入力される電流の数を前記電圧分割手段を用いてインクリメントして、書込みパルスのレベルの増減量を可変的に制御できる。 
【００７１】
図６は、本発明の好ましい実施の形態による各種の光記録媒体に適した書込みパルスの発生方法の動作を示すフローチャートである。第６０１段階において、現在用いる光記録媒体のタイプ及び記録速度をチェックする。これは、従来の公知の方式を用いて行う。第６０２段階において、現在用いる光記録媒体上に現在マーキングしようとする記録マークの書込みパルスのレベルを決定する。このとき、前記制御部１０１において説明したように、記録マークの各区間別の基準レベルに基づき書込みパルスレベルの増減及び増減量に鑑みて、書込みパルスのレベルが決定される。決定された書込みパルスのレベルに基づきレジスタファイル１０５の値が設定される。レジスタファイル１０５に設定される値は、後述するパルスの組み合わせ条件に該当する。 
【００７２】
第６０３段階において、マルチパルスのタイプを決定する。マルチパルスのタイプは、図７に示されたように決定される。すなわち、第７０１段階において、マルチパルス区間をノンマルチパルスタイプで発せられるか否かを判断する。このような判断は、現在取り付けられている光記録媒体のタイプ及び記録速度に応じて決定される。すなわち、光記録媒体のタイプ及び記録速度に応じて、第７０１段階において、前記マルチパルス区間がノンマルチパルスであると判断されれば、第７０２段階において光記録媒体のタイプ及び記録速度に応じて４種のノンマルチパルスのうちいずれか一つを選択する。４種のノンマルチパルスのタイプは、前記図２のマルチパルス決定部２０５における説明の通りである。 
【００７３】
第７０２段階において、４種のノンマルチパルスのタイプのうちいずれか一つが選択されれば、第７０３段階において選択されたノンマルチパルスタイプにマルチパルス区間のパルスタイプを決定する。これに対し、第７０１段階において、マルチパルス区間がノンマルチパルスではないと判断されれば、第７０４段階において、前記マルチパルス区間がオンスタートマルチパルスタイプであるか否かをチェックする。前記マルチパルス区間がオンスタートマルチパルスタイプであれば、第７０５段階において、マルチパルス区間のパルスタイプをオンスタートマルチパルスタイプに決定する。このとき、マルチパルスの幅は、光記録媒体のタイプ、記録速度及び記録マーク長に応じて可変的に設定できる。しかし、第７０４段階においてマルチパルスのタイプがオンスタートマルチパルスタイプではない場合、第７０６段階においてマルチパルス区間のパルスタイプをオフスタートマルチパルスタイプに決定する。このとき、マルチパルスの幅は、光記録媒体のタイプ、記録速度及び記録マーク長に応じて可変的に設定できる。 
【００７４】
第６０４段階において、前記第６０２段階において決定された書込みパルスのレベル及び前記第６０３段階において決定されたマルチパルスタイプを有する書込みパルスを形成するために必要なパルスを組み合わせてＬＤ駆動部１５０を制御するための制御信号を発する。このとき、パルスの組み合わせは、レジスタファイル１０５に設定された値によりなされる。 
【００７５】
この発生制御信号をもって、第６０４段階においてＬＤを駆動させるために提供されるチャンネル別の電流の伝送を制御する。第６０５段階において伝送決定されたチャンネル別の電流を加算した電流をもってＬＤ １６０を駆動させる。 
【００７６】
［発明の効果］
上述したように、本発明によれば、各種の光記録媒体及び各種の記録速度に適した書込みパルスを発することにより、光駆動器における光記録媒体の各種のタイプ及び記録速度に対する互換性を高め、いかなる光記録媒体及び記録速度でも最適の記録品質を提供できる。また、光記録媒体のタイプ及び記録速度に応じてマルチパルス区間を複数のノンマルチパルス、オンスタートマルチパルス及びオフスタートマルチパルスタイプのうちいずれか一つのパルスタイプで発せられるように制御でき、さらに様々な書込みパルスを提供できる。 
【００７７】
さらに、書込みパルスのレベルの増減が容易であって要求される書込みパルスも任意に生成できることから、一つの光駆動器を用いて広範な光記録媒体と互換できる。なおかつ、別途のハードウェア的なチャンネル経路を追加せず、ＬＤ駆動部に印加される自動パワー制御用の電流の数をインクリメントすることにより、高まり得る書込みパルスのレベルの範囲を拡大できる。 
【００７８】
本発明は前述した実施の形態に限定されることなく、本発明の思想内であれば、当業者による変形が可能であるということは言うまでもない。よって、本発明における権利請求の範囲は、詳細な説明の範囲内に定まるのではなく、請求範囲によって定まるべきである。
【図面の簡単な説明】
【００７９】
【図１】本発明の好ましい実施の形態による各種の光記録媒体に適した書込みパルスの発生装置のブロック図である。
【図２】図１に示された制御信号発生部の詳細ブロック図である。
【図３】入力されるＮＲＺＩ及びＬＤの出力を基準として図２のパルス発生器群から発せられるパルスのタイミング例である。
【図４】図２に示されたマトリックス回路の例である。
【図５】本発明によって各光記録媒体別に変形された書込みパルスレベルのタイミング例である。
【図６】本発明の好ましい実施の形態による各種の光記録媒体に適した書込みパルスの発生方法の動作を示すフローチャートである。
【図７】マルチパルスタイプの決定段階の詳細図である。
【符号の説明】
【００８０】
１０１…制御部
１０５…レジスタ群
１１０…ＮＲＺＩ検出部
１１５…制御信号発生部
１２１…ＶＧＡ
１２２＿１…第５Ｓ／Ｈ
１２２＿２…第４Ｓ／Ｈ
１２２＿３…第３Ｓ／Ｈ
１２２＿４…第２Ｓ／Ｈ
１２２＿５…第１Ｓ／Ｈ
１２３…第１伝送手段
１２４…第２伝送手段
１２５…第３伝送手段
１２６…第４伝送手段
１２７…第５伝送手段
１２８…第１ＤＡＣ
１２９…第２ＤＡＣ
１３０…第３ＤＡＣ
１３１…第４ＤＡＣ
１３２…第５ＤＡＣ
１４０…ＰＤ
１５０…ＬＤ駆動部
１６０…ＬＤ
１７０…光記録媒体
【図１】
2006134576.tif 000004
【図２】
2006134576.tif 000005
【図３】
2006134576.tif 000006
【図４】
2006134576.tif 000007
【図５】
2006134576.tif 000008
【図６】
2006134576.tif 000009
【図７】
2006134576.tif 000010